(57)【要約】      （修正有）【課題】  犬や猫などの小動物の侵入が防止でき、且つ、衛生的な砂場を保つことが出来る簡易な構造の設備を提供する。【解決手段】  本発明の小動物の侵入防止設備１０は、砂場８の周囲に壁を張り巡らせることにより、犬や猫などの小動物が砂場８に入り込めないようにする砂場８の設備であって、砂場８に隣接させて設けた支柱１と、支柱１に支持させて設けた支持部材２と、支持部材２に吊り下げられる壁部材３とを備える。壁部材３を隣り合う支柱間の幅で形成したネット３で構成すること、そして、壁部材３の下縁に沿って線状部材６を設けることは有効である。【選択図】    図１
2008043269.tif 000002
【特許請求の範囲】
【請求項１】
砂場の周囲に壁を張り巡らせることにより、犬や猫などの小動物が砂場に入り込めないようにする砂場の設備であって、
砂場に隣接させて設けた支柱と、該支柱に支持させて設けた支持部材と、該支持部材に吊り下げられる壁部材とを備えていることを特徴とする小動物の侵入防止設備。
【請求項２】
前記壁部材は、隣り合う支柱間の幅で形成されたネットであることを特徴とする請求項１に記載の小動物の侵入防止設備。
【請求項３】
前記壁部材の下縁に沿って線状部材が設けられていることを特徴とする請求項１または２に記載の小動物の侵入防止設備。
【請求項４】
隣り合う前記ネットの側端に、互いに係合する係止手段を設けたことを特徴とする請求項１ないし３の何れかに記載の小動物の侵入防止設備。
【請求項５】
前記支柱の下部にフックを設け、前記フックに係止できるように前記線状部材の両側端部に下部リングを設けたことを特徴とする請求項１ないし４の何れかに記載の小動物の侵入防止設備。
【発明の詳細な説明】
【技術分野】
【０００１】
本発明は、砂場に猫等の動物が侵入しないように、且つ、砂場を衛生的に保つようにする砂場用の設備に関する。
【背景技術】
【０００２】
保育園、幼稚園の砂場は、小動物等の動物の排泄物により、汚染されることがある。このような汚染は、時として、見過ごされることもあり、子供たちの衛生面に対する配慮に欠ける現状がある。このような現状に対して、砂場の管理者は、砂場の砂を定期的に入れ替えることや、砂場を使用しない時にシートで砂場を覆うという作業を行なっていた。しかし、このような作業は、労力が伴うものであり、容易ではなかった。
実用新案登録第３０６９３７９号公報には、猫や犬の侵入を防止するための砂場用防護ネットが開示されている。この砂場用防護ネットは、砂場の周囲に立設して設けられた支柱に砂場の周囲を囲むようにネットを取付けることが記載されている。そしてネットは、その下端が、砂場の周囲の地面外方に垂れ下がる垂下り部を設けること、及び、支柱の上端に、外向きに屈曲する屈曲部を形成し、この支柱の屈曲部によって、ネットの上端に、外向きの返し部を設けることが記載されている。しかし、このネットは、ネットに設けられたリングを支柱に通す等の手段で取付けられるものであり、ネットの下端を持ち上げて子供たちが出入りするものであることから、砂場が常にネットで囲まれ、開放感に乏しいものとなっていた。
また、特開２００２−１７６９０２号公報には、砂場の周囲を取り囲むように設けられた複数の巻き上げ戸からなる砂場保護装置が開示されている。この砂場保護装置は、砂場の周囲に巻き上げ戸を設け、これによって、開放する必要のないときにのみ砂場を封鎖するものである。しかし、このような大掛かりな装置は、それを設備するための費用が嵩む等の問題点があった。
【発明の開示】
【発明が解決しようとする課題】
【０００３】
砂場が常にネットで囲まれているのでは、開放感に乏しい砂場となる。また、大掛かりな装置を砂場に設けたのでは、それを設備するための費用が嵩むものとなる。このような問題点に鑑みて、本発明は、確実に犬や猫の動物の侵入が防止でき、且つ、衛生的な砂場を保つことが出来るようにすることであり、また、簡易な構造でありながら有効な効果が得られるように砂場用の設備を提供することである。
【特許文献１】実用新案登録第３０６９３７９号公報
【特許文献２】特開２００２−１７６９０２号公報
【課題を解決するための手段】
【０００４】
本発明の小動物の侵入防止設備は、砂場の周囲に壁を張り巡らせることにより、犬や猫などの小動物が砂場に入り込めないようにする砂場の設備であって、
砂場に隣接させて設けた支柱と、該支柱に支持させて設けた支持部材と、該支持部材に吊り下げられる壁部材とを備えていることを特徴とする。そして、前記壁部材は、隣り合う支柱間の幅で形成されたネットであること、前記壁部材の下縁に沿って線状部材が設けられていること、隣り合う前記ネットの側端に、互いに係合する係止手段を設けたことを特徴とする。また、前記支柱の下部にフックを設け、前記フックに係止できるように前記線状部材の両側端部に下部リングを設けたことを特徴とする。
【発明の効果】
【０００５】
本発明の小動物の侵入防止設備は、砂場に設けた支柱および支柱に支持させてロープ等の支持部材を設け、支持部材に吊り下げた壁部材が砂場の周囲に壁を張り巡らせるように設けられているので、簡易な構造でありながら犬や猫の小動物の侵入を防止して、衛生的な砂場を保つことが出来る。そして、壁部材を隣り合う支柱間の幅で形成されたネットで構成することにより、砂場の開放が支柱間のネットの開閉だけで行なうことができるものとなる。また、壁部材の下縁に沿って線状部材（チェーンやワイヤー）を設けた場合には、犬や猫などの小動物が壁部材の下端から砂場に侵入出来なくなる侵入防止設備とすることができる。
砂場の周囲に隙間なく壁を張り巡らせるためには、互いに係合する係止手段で互いに隣り合うネットを係止させればよく、これにより、簡易な構造で小動物の侵入防止設備が構築される。
壁部材の下縁に設けられた線状部材が、支柱に設けられたフックに係止できるように下部リングを備えることにより、風の強い日には、壁部材の下縁が舞い上がらないようにできる。これにより、犬や猫などの小動物の出入りが、さらに確実に防止できる。
【発明を実施するための最良の形態】
【０００６】
図１及び図２は、本発明の小動物の侵入防止設備１０を示したものであり、それぞれ、砂場を封鎖もしくは開放した状態である。この小動物の侵入防止設備１０は、概ね、砂場の角部の外側に設けた支柱１と、支柱１間に張り渡して設けたワイヤー２（支持部材）と、ワイヤー２に吊り下げられるネット３（壁部材）とを備えている。ネット３は、繊維の束を編んで造った網であり、犬や猫などの小動物の攻撃に対して充分な強度を備え、且つ、耐候性を備えたものが利用される。ネット３のサイズは、横幅が隣り合う支柱１間の長さであり、高さは犬や猫が飛び越えられない程度の高さ（約１．８ｍ程度）である。そして、ネット３の上縁にはネット用リング５が適宜間隔で取付けられ、ネット３の下縁に沿って線状部材６（例えば、後述するチェーン、螺旋状のワイヤー、太めの紐、ゴム等）が取付けられる。これにより、犬や猫などの小動物が、ネット３の下縁を潜り、砂場に侵入することが出来なくなる。また線状部材６を風で吹き上げられることがない程度の重さとすることによって、ネット３の下縁と地面との間に風等の影響で隙間が出来難くなるので、小動物の侵入防止効果が向上する。
【０００７】
一方、砂場８の各コーナーの外側に立設される支柱１は、その高さが約２ｍ程度で、上部にはワイヤー２を固定するためのワイヤー用リング４が溶接される。そして、このワイヤー用リング４によって、ワイヤー２が固定もしくは係止される。因みに、ワイヤー２の両端部にフックを設けてリング４に係脱自在とすること、もしくは、ワイヤー２にネット３のネット用リング５を通した後にワイヤー２をリング４に通し固定する等適宜実施される。このように、ワイヤー２にネット用リング５を介してネット３を吊り下げて構築した小動物の侵入防止設備１０は、手で容易にネット３の開閉ができるものとなる。
【０００８】
ネット３の側端にはピンチ７を設け、隣り合うネット３間に隙間が出来ないように、このピンチ７で互いに隣り合うネット３を挟んで止める。これにより、砂場８の周囲に隙間なく壁を張り巡らせることができ、簡易な構造で小動物の侵入防止設備が構築される。また、このように設けられたピンチ７は、ネット３を支柱１近傍に束ねる際にも利用できる。尚、ピンチ７を支柱１に設けること、もしくは、ピンチ７に替えて、紐等の係止手段を設けることもできる。
【０００９】
図３（ａ）は、他の形態を説明するために、小動物の侵入防止設備１０の左隅を示した説明図である。この図３（ａ）に示すように、ネット３の下縁にはチェーン６ａ（線状部材）が設けられ、このチェーン６ａを係止するために、支柱１の下部にフック４ａを溶接して設けている。そして、このフック４ａにチェーン６ａを係止させることにより、ネット３の下端が風で舞い上がらなくなるので、犬や猫の侵入防止に役立つ。尚、ネット３にチェーン６ａ以外の部材、例えば太い紐を設けた場合には、支柱１のフック４ａに係止できるようなリング（下部リング）を太い紐の両端部に設ければよい。
【００１０】
図３（ｂ）は、支柱１をネット３の内側に設けた形態の侵入防止設備１０である。このような形態の侵入防止設備１０とした場合には、隣接するネット３の合わせ部分（ネット３の側端部）が、支柱１に支えられる構造となることから、さらに、風による影響が出難いものになる。しかし、この場合、支柱１の下部でネット３をチェーン６ａで係止させていないことから、隣接するネット３の合わせ部分に相当の力が加わる。従って、この形態の侵入防止設備１０とした場合には、ピンチ７でネット３を挟持しただけでは不十分であり、他の係止手段を併用するのが好ましい。
【００１１】
図３（ｃ）は、ネット３の長さを支柱１に対して充分長くすることによって、ネット３の裾面３ａを地面に着けている状態を示したものである。このように、ネット３に裾面３ａを設けることによって、小動物の侵入防止効果はさらに向上する。即ち、犬や猫などの小動物は外側に向けたネット３の裾面３ａを持ち上げて潜り込むことができないので、それら小動物の砂場への侵入をより確実に防止することが出来る。
【００１２】
隣接するネット３の合わせ部分における係止手段に関し、図４は、ピンチ７以外の係止手段を説明するものである。これらの係止手段は、周囲の環境や目的に応じて適宜選択されるものであるが、図４（ａ）に示したようにファスナー１１をネット３の側端部に設けた場合には、ほぼ隙間なく、ネット３の合わせ部分を繋ぎ合わすことができるので、小動物の砂場への侵入が完全に規制できる。因みに、エレメントをスライダーで噛み合わせるファスナー１１に代えて、面ファスナー（図省略）を設けることもできる。
【００１３】
図４（ｂ）に示す留具１２については、図４（ｃ）、及び、図４（ｄ）に、その構造および作動を示す。これら図４の（ｂ）乃至（ｄ）に示ように、留具１２は、ネット３の一方の側端部に棒状部材１３を設け、これを嵌める嵌合部材１２ａ、１２ｂをネット３の他方の側端部に設けて構成される。これにより、棒状部材１３と嵌合部材１２ａ、１２ｂとを嵌合させ、互いに隣接するネット３が、閉じた状態で保持できる。因みに、図４の（ｃ）に示す留具１２の嵌合部材１２ａは、断面三日月状の２個の部材を軸支して、それぞれの部材をバネで内側に付勢させたものである。この形態の留具１２は、嵌合部材１２ａの付勢力に抗して棒状部材１３を開口部から挿入することで、棒状部材１３が嵌合部材１２ａに嵌め込まれる。同様に、図４の（ｄ）に示す留具１２は、嵌合部材１２ｂが断面馬蹄形状に形成された弾性部材であり、棒状部材１３はその開口部を押し開き挿入することにより保持される。
【００１４】
以上、ネット３の横幅サイズが、隣り合う支柱１間の長さとなるようにした小動物の侵入防止設備１０について説明したが、連続する１枚のネットで砂場８を囲むようにしてもよい。図５は、砂場の形状に合わせて固定部材１５を支柱１の上部に設けた侵入防止設備２０である。この侵入防止設備２０は、さらに、固定部材１５にワイヤー２を担持させるとともに、ワイヤー２にネット用リング５を挿通させ、固定部材１５の外周壁に沿って、ネット用リング５が移動できるようにしたものである。すなわち、ネット用リング５には、ネット３が取り付けられているので、ファスナー１１を開いてネット３を束ねること、もしくは、図５に示したように、ネット３で砂場を囲った状態で閉じることができるので、犬や猫の侵入を防止することができる砂場の設備となる。
【００１５】
尚、図は省略するが、他の形態の侵入防止設備として、固定部材１５の外周壁に連続する係合突起を設け、その係合突起に係合するフックをネット３に設けるようにしてもよい。これにより、フックを係合突起上で摺動させることができるので、ネット３の開閉が自在にできる侵入防止設備２０になる。また、吊り下げられる部材は、ネット３に限定されることはなく、耐候性に優れた布、もしくは、プラスチック製の板状部材を複数枚吊り下げるようにして、構成することもできる。
【００１６】
砂場を衛生的に保つためには、砂場を出来るだけ日に当てるようにする。しかし、子供たちが遊んでいる時や日差しが強すぎる時には、図６に示すような葦簀９（日除け部材）をワイヤー２に立て掛ける。これにより、簡易な構造でありながら犬や猫の小動物の侵入を防止して、衛生的な砂場を保つことが出来る小動物の侵入防止設備が構築できる。
【図面の簡単な説明】
【００１７】
【図１】砂場を封鎖して示した小動物の侵入防止設備の説明図である。
【図２】砂場を開放して示した小動物の侵入防止設備の説明図である。
【図３】（ａ）、（ｂ）は、それぞれ、小動物の侵入防止設備の左隅を示した説明図であり、（ｃ）は、ネットを地面に着けている状態を示す説明図である。
【図４】（ａ）、（ｂ）、（ｃ）、（ｄ）は、それぞれ係止手段を説明する説明図である。
【図５】他の形態の小動物の侵入防止設備の説明図である。
【図６】日除け部材を立て掛けた小動物の侵入防止設備の説明図である。
【符号の説明】
【００１８】
１  支柱
２  ワイヤー
３  ネット
４  ワイヤー用リング
４ａ  フック
５  ネット用リング
６  線状部材
６ａ  チェーン
７  ピンチ
８  砂場
９  葦簀
１０、２０  小動物の侵入防止設備
１１  ファスナー
１２  留具
１５  固定部材
【図１】
2008043269.tif 000003
【図２】
2008043269.tif 000004
【図３】
2008043269.tif 000005
【図４】
2008043269.tif 000006
【図５】
2008043269.tif 000007
【図６】
2008043269.tif 000008